(57)【要約】      （修正有）【課題】底面に光を透過でき、３６０度全方向発光効果を達成できる。【解決手段】全方向型発光ダイオードは、透明架台及び少なくとも１つの発光チップを含む。該透明架台に少なくとも２つの電極が設けられ、該発光チップが該透明架台に設けられ、該発光チップが該透明架台上の少なくとも２つの電極に電気的に接続されることによって、３６０度全体に全方向発光できる。【選択図】図１
0003140310.tif 000002
【実用新案登録請求の範囲】
【請求項１】
少なくとも２つの電極が設けられた透明架台と、
前記透明架台に設けられ、前記透明架台上の少なくとも２つの電極に電気的に接続された発光チップと、を含むことによって３６０度の全方向発光を形成する、
全方向型発光ダイオード。
【請求項２】
前記透明架台は、ポリカーボネート（ＰＣ）、ガラス、ポリメチルメタクリレート（ＰＭＭＡ）、プラスチック基板うちの何れか一つの材質であることを特徴とする、請求項１に記載の全方向型発光ダイオード。
【請求項３】
前記透明架台は、板状であることを特徴とする、請求項１に記載の全方向型発光ダイオード。
【請求項４】
前記透明架台は、凹杯状であることを特徴とする、請求項１に記載の全方向型発光ダイオード。
【請求項５】
前記発光チップは、ボンディング方式によりボンディングワイヤで該透明架台上の少なくとも２つの電極に電気的に接続することを特徴とする、請求項１に記載の全方向型発光ダイオード。
【請求項６】
前記透明架台は、さらに、少なくとも２つの導電脚を設け、前記少なくとも２つの導電脚の一端が、前記少なくとも２つの電極に電気的に接続され、他端が前記透明架台の底部から前記透明架台の側辺外に伸び出され、電気パッドを形成することを特徴とする、請求項４に記載の全方向型発光ダイオード。
【請求項７】
前記透明架台および前記発光チップは、さらに透光コロイドで覆われ、前記透光コロイドで覆うときに、前記発光チップを完全に覆い、前記透明架台は一部に覆われることを特徴とする、請求項６に記載の全方向型発光ダイオード。
【請求項８】
前記透光コロイド内に蛍光粉がドープされていることを特徴とする、請求項７に記載の全方向型発光ダイオード。
【請求項９】
前記透明架台および前記発光チップは、蛍光粉層でパッケージしておき、さらに透光コロイドで覆い、前記透光コロイドで覆うときに、前記発光チップ及び蛍光粉層を完全に覆い、前記透明架台は一部に覆われることを特徴とする、請求項６に記載の全方向型発光ダイオード。
【考案の詳細な説明】
【技術分野】
【０００１】
本考案は、全方向型発光ダイオードに係り、特に透明架台及び少なくとも一つの発光チップの組合設計により３６０度の全方向発光ができる、発光ダイオード或は類似の構造に適応するものである。
【背景技術】
【０００２】
現在、伝統的な照明ランプは、まだ様々な問題が存在しており、例えば、白熱灯が安価であるが、発光効率が低く、表面が高温で破れやすく並びに寿命が短い。発光ダイオードは、電力消費量が低く、発熱量が低く、安全で破れ難く、寿命が長い等の利点を備えるため、発光ダイオードは、現在、殆ど電子製品指示または照明に使用されている。
【０００３】
一般に、従来の発光ダイオード構造は、主に、凹溝を具備する架台を設け、該凹溝内に発光チップが結合され、さらに、該発光チップがボンディグワイヤを介して他の脚に接続され、最後に、さらに封止コロイドにより、架台、発光チップ、ボンディグワイヤ及び他の脚を一体に結合し、発光ダイオードの作製を完了する。
【０００４】
しかしながら、前記従来の発光ダイオードが電源オンされる時に、発光チップが該ベースの凹杯内に結合され、該発光チップ周縁及び底面からの光がいずれも凹杯に障碍され反射するため、該発光ダイオードは、正方向からの光のみを発射し、該発光ダイオードの裏側にその発する光が見られず、表面実装技術によりチップを印刷回路基板に直接的に接続し、該回路基板が電源にオンされてから、該チップが５つの方面（前、後、左、右、上）に発光できるが、その底面には依然、光を透過できなく、白熱灯のように３６０度の全方向発光効果を達成できない。
【０００５】
これを鑑み、本考案の創作者は、発光ダイオードが発する光がそれぞれの角度でともに見られる全方向型発光ダイオードの提供を期し、専念な観察かつ研究をし、さらに学術理論の運用に合せ、合理的に設計且つ組み立てし消費者に提供することが、本考案の創作動機である。
【考案の開示】
【考案が解決しようとする課題】
【０００６】
本考案の主な目的は、透明架台及び少なくとも一つの発光チップの組合設計により、該透明架台はポリカーボネート（ＰＣ）、ガラス、ポリメチルメタクリレート（ＰＭＭＡ）、プラスチック基板などの材質であり、該発光チップはボンディングワイヤで該発光チップの正負端から該透明架台上の電極に接続し、該透明架台が透明であり、また該発光チップの周囲には他の素子が設けられていないため、該発光ダイオードが３６０度で全方向発光でき、本考案の実用性を増進できる全方向型発光ダイオードを提供することにある。
【課題を解決するための手段】
【０００７】
前記目的を達成するために、本考案は、透明架台及び少なくとも一つの発光チップを含む。前記透明架台に少なくとも２つの電極が設けられ、前記発光チップが前記透明架台に設けられ、前記発光チップが前記透明架台上の少なくとも２つの電極に電気的に接続されることによって、全体に３６０度全方向発光できる全方向型発光ダイオードを提供する。
【考案の効果】
【０００８】
本考案に係る全方向型発光ダイオードは、発光効率を大幅に向上し並びに３６０度で全方向発光などの効果を備え、本考案の実用性を向上できる。
【考案を実施するための最良の形態】
【０００９】
本考案の他の特徴及び具体的な実施例は、後続の詳しく説明及び図示よりさらに了解できる。
【実施例】
【００１０】
図１〜図３に示すように、本考案に係る全方向型発光ダイオードは、透明架台１０及び少なくとも１つの発光チップ２０を含む。
【００１１】
該透明架台１０は、板状（凹杯であっても良い）であり、該透明架台１０は、ポリカーボネート（ＰＣ）、ガラス、ポリメチルメタクリレート（ＰＭＭＡ）、プラスチック基板うちの何れか一つの材質であり、該透明架台１０に少なくとも２つの電極１１が設けられる。
【００１２】
少なくとも１つの発光チップ２０は、該透明架台１０に設けられ、該発光チップ２０がボンディング方式によりボンディングワイヤ４０で該透明架台１０上の少なくとも２つの電極１１に電気的に接続される。
【００１３】
使用する時に、該透明架台１０は板状であり、該発光チップ２０（複数の発光チップ２０であっても良い）は、ボンディング方式によりボンディングワイヤ４０で該発光チップ２０の正負端から該透明架台１０上の少なくとも２つの電極１１に電気的に接続し、該透明架台１０の少なくとも２つの電極１１の一端が正極に接続され、他の端が負極に接続され、該透明架台１０はが透明であり、また該発光チップ２０の周囲には他の素子が設けられていないため、該発光チップ２０が発する光が、３６０度で発光でき、図３を同時に参照すると、該発光ダイオードは、如何なる角度から見て、その発する光がともにはっきり見られ、とって、３６０度の全方向型発光ダイオードを形成した。
【００１４】
図４〜図５は、本考案の第２、第３実施例であり、該透明架台１０は凹杯であり、該透明架台１０は、さらに少なくとも２つの導電脚１２を設け、該少なくとも２つの導電脚１２の一端が、少なくとも２つの電極１１に電気的に接続され、他の端が該透明架台１０の底部から該透明架台１０の側辺外に伸び出され、電気パッドを形成し、該透明架台１０および該発光チップ２０（複数の発光チップ２０であっても良い）は、さらに、透光コロイド３０で覆われ、該透光コロイド３０内に蛍光粉３１がドープされ（該透光コロイド３０内に蛍光粉３１がドープされなくても良い、図４を参照する）、蛍光粉３１がドープされた透光コロイド３０で覆うときに（図５を参照する）、先ず、蛍光粉３１が一部ドープされた透光コロイド３０を該透明架台１０内に充填しておき、さらに、該発光チップ２０を実装し、該発光チップ２０は、ボンディング方式によりボンディングワイヤ４０で該発光チップ２０の正負端から該透明架台１０の少なくとも２つの電極１１に電気的に接続され、さらに、蛍光粉３１がドープされた透光コロイド３０で完全に覆われ、該透明架台１０は一部に覆われる。使用する時に、該透明架台１０の少なくとも２つの導電脚１２の一端が正極に接続され、他の一端が負極に接続され、該透明架台１０はが透明であり、また該発光チップ２０の周囲には他の素子が設けられていないため、該発光ダイオード２０が発する光が、３６０度で発光できるため、該発光ダイオードは、如何なる角度から見て、その発する光がともにはっきり見られる。
【００１５】
図６は、本考案の第４実施例であり、該透明架台１０は凹杯であり、該透明架台１０は、さらに少なくとも２つの導電脚１２を設け、該少なくとも２つの導電脚１２の一端が、少なくとも２つの電極１１に電気的に接続され、他の端が該透明架台１０の底側に伸び出され、電気パッドを形成し、該透明架台１０内に一部の蛍光粉層３２を充填しておき、さらに、該発光チップ２０（複数の発光チップ２０であっても良い）を実装し、該発光チップ２０は、ボンディング方式によりボンディングワイヤ４０で該発光チップ２０の正負端から該透明架台１０の少なくとも２つの電極１１に電気的に接続され、その後、蛍光粉層３２を充填し発光チップ２０を完全に覆い、さらに、透光コロイド３０で覆い、該透光コロイド３０で覆うときに、該発光チップ２０及び蛍光粉層３２を完全に覆い、該透明架台１０は一部に覆われ、使用する時に、該透明架台１０の少なくとも２つの導電脚１２の一端が正極に接続され、他の一端が負極に接続され、該透明架台１０はが透明であり、また該発光チップ２０の周囲には他の素子が設けられていないため、該発光ダイオード２０が発する光が、３６０度で発光できるため、該発光ダイオードは、如何なる角度から見て、その発する光がともにはっきり見られる。
【００１６】
図１〜図１６に示すように、本考案に係る全方向型発光ダイオードの特徴は、透明架台１０及び少なくとも一つの発光チップ２０の組合設計により、該透明架台１０はポリカーボネート（ＰＣ）、ガラス、ポリメチルメタクリレート（ＰＭＭＡ）、プラスチック基板うちの何れか一つの材質であり、該発光チップ２０はボンディング方式によりボンディングワイヤ４０で該発光チップ２０の正負端から該透明架台１０上の少なくとも２つの電極１１（実際使用する際、さらに、少なくとも２つの導電脚１２を設けてもよい）の一端が正極に接続され、他の端が負極に接続され、該透明架台１０はが透明であり、また該発光チップ２０の周囲には他の素子が設けられていないため、該発光チップ２０が発する光が、３６０度で発光でき、また、該透明架台１０及び該発光チップ２０がさらに、透光コロイド３０で覆われるため、本考案は、発光効率を大幅に向上し並びに３６０度で全方向発光などの効果を備え、本考案の実用性を向上できる。
【００１７】
しかし、前記に開示された構成は、単に本考案の好ましい実施例に過ぎず、本考案の特徴を局限するものではなく、いずれの当該分野における通常の知識を有する専門家が本考案の分野の中で、適当に変換や修飾などを実施できるが、それらの実施のことが本考案の請求範囲内に含まれるべきことは言うまでもないことである。
【図面の簡単な説明】
【００１８】
【図１】本考案の第１の実施例を示す断面図である。
【図２】本考案の第１の実施例の平面図である。
【図３】本考案の第１の実施例の使用状態を示す図である。
【図４】本考案の第２の実施例の使用状態を示す断面図である。
【図５】本考案の第３の実施例の使用状態を示す断面図である。
【図６】本考案の第４の実施例の使用状態を示す断面図である。
【符号の説明】
【００１９】
１０  透明架台
１１  電極
１２  導電脚
２０  発光チップ
３０  透光コロイド
３１  蛍光粉
３２  蛍光粉層
４０  ボンディングワイヤ
【図１】
0003140310.tif 000003
【図２】
0003140310.tif 000004
【図３】
0003140310.tif 000005
【図４】
0003140310.tif 000006
【図５】
0003140310.tif 000007
【図６】
0003140310.tif 000008